(57)【要約】      （修正有）【課題】上皿の丸洗い洗浄、ロック機構のロック・ロック解除が容易なベビースケールの提供。【解決手段】測定部本体に設けた中皿130に、解除可能なロック機構を介して上皿を装脱着可能に設けたベビースケールで、上皿下面に、左右一対のコ字アームと、アームから前後に離間させて先端膨出ロックピン166とを設け、中皿130の左右側面にアーム係合用の一対の支軸部を設け、中皿130上面にロックピン係合用の第１の開口130aを設け、開口130a上には、ロックピン係合用の開口142を設けた前後スライド可能なスライドプレート140(ロック機構)を設け、ピン膨出先端部166a係合用の幅広部142aとピン基端部166b係合用の幅狭部142ｂを前後に連成して前記開口142を構成し、開口142にピン基端部166bを係合し、スライドプレート140をスライドさせてピン166のロックとロック解除を行う。【選択図】図４
2011099783.tif 000002
【特許請求の範囲】
【請求項１】
測定部本体上面に設けた中皿に、寝台である上皿が解除可能なロック機構を介して装脱着可能に設けられたベビースケールにおいて、
前記上皿の下面には、左右方向所定距離離間させて一対のコ字型アームが突出形成されるとともに、前記一対のアームから前後方向所定距離離間させて先端部が膨出する１本のロックピンが突出形成され、
一方、前記中皿の左右の側面には、前記コ字型アームがそれぞれ係合する一対の支軸部が略水平に突出形成され、
前記中皿の上面には、ロックピン係合用の第１の開口部が設けられるとともに、
前記中皿上面の前記第１の開口部を含む領域には、ロックピン係合用の第２の開口部を設けた前後方向スライド可能なスライドプレートで構成するロック機構が設けられ、
前記ロックピン係合用の第２の開口部は、前記ロックピンの膨出先端部が係合可能な幅広開口部と前記ロックピンの基端部が係合可能な幅狭開口部とが前後方向に連成されて構成され、
前記第２の開口部に前記ロックピンの基端部が係合する状態で、前記スライドプレートをスライドさせて前記ロックピンのロックまたはロック解除を行うことを特徴とするベビースケール。
【請求項２】
前記上皿下面における前記一対の支軸部と前記ロックピン間の所定位置には、前後方向位置決め用の下方突起が設けられ、
一方、前記中皿の上面には、前記スライドプレートの走行路を画成するケーシングが設けられるとともに、該ケーシング上面の所定位置には、前記上皿側の下方突起が係合する前後方向位置決め用の開口部が設けられたことを特徴とする請求項１に記載のベビースケール。
【請求項３】
前記中皿上面における前記前後方向位置決め用の開口部の真下には、ばね付勢されて突没動作可能な浮動フックが前記スライドプレート走行路上に突出した形態に設けられ、
前記スライドプレートには、前記浮動フックを上方に露呈させるフック露呈用開口部が設けられるとともに、該フック露呈用開口部の近傍には、前記スライドプレートを引き出した位置から前進させる際に前記浮動フックに当接して該スライドプレートの前進を阻止する係止片が設けられ、
前記上皿を前記中皿に位置決めして組み付けた際に、前記浮動フックは、前記上皿側の下方突起に上方から突き押しされて前記スライドプレート走行路の下方に没入した形態に保持されて、前記スライドプレートの前記係止片との当接が解除されるように構成されたことを特徴とする請求項２に記載のベビースケール。
【請求項４】
前記スライドプレートには、前記中皿上面に突出形成されたボスと係合して、左右方向には位置決めされるが前後方向には該ボスに対し摺動可能な長孔が形成され、
前記ボスが前記長孔の前後端部にそれぞれ係合する位置と、前記スライドプレートを引き出して前記ロックピンのロックを解除する位置および前記スライドプレートを押し込んで前記ロックピンをロックする位置とが対応するように構成されたことを特徴とする請求項１〜３のいずれかに記載のベビースケール。
【請求項５】
前記長孔の左右方向外側には、該長孔と平行に延びる第２の長孔が形成されて、前記長孔と第２の長孔間に帯状弾性領域が形成され、該帯状弾性領域における前記長孔の両端部寄りの内周には、前記ボスを長孔端部に保持する微小突起がそれぞれ設けられて、前記スライドプレートは、押し込まれた位置および引き出された位置にそれぞれ保持されるように構成されたことを特徴とする請求項４に記載のベビースケール。
【発明の詳細な説明】
【技術分野】
【０００１】
本発明は、体重計に係り、特に、測定部本体の中皿にロック機構を介して連結一体化されている測定皿を簡単に取り外すことのできるベビースケールに関する。
【背景技術】
【０００２】
この種のベビースケールとしては、例えば、下記特許文献が知られている。なお、下記特許文献に記載されているベビースケールの構成の理解を助けるべく、特許文献１の実施例で使用されている符号をそのまま付して従来技術を説明する。
【０００３】
このベビースケールは、測定部本体１０の上面に設けた中皿２２に、寝台である上皿（測定皿）４０が解除可能なロック機構を介して連結一体化された構造で、該上皿（測定皿）４０底面には、先端に爪部５０Ｆを有するスイング部材５０と、該スイング部材５０に対し前後スライド可能なロックレバー４２とを備えたロック機構が設けられ、一方、中皿２２の上面には、スイング部材５０の爪部５０Ｆが係合する爪部３０が形成されている。
【０００４】
そして、ロック機構をロックするには、上皿（測定皿）４０を中皿２２に対し位置決めして組み付けた状態において、引き出されて手前側が押し下げられているロックレバー４２の手前側を持ち上げ、スイング部材５０を前方下向きにスイングさせてスイング部材５０先端の爪部５０Ｆを、中皿２２側の爪部３０に上方から係合させた後、ロックレバー４２を押し込んでスイング部材５０に対し前進させると、ロックレバー４２先端部が上皿（測定皿）４０底面に当接して、スイング部材５０が上下にスイングできないロック状態（ロック機構がロックされた状態）となる。
【０００５】
一方、ロック機構のロックを解除するには、逆の操作、即ち、まず、ロックレバー４２を引き出して、ロックレバー４２先端部の上皿（測定皿）４０底面との当接を解除し、ロックレバー４２およびスイング部材５０を上下にスイングできる形態にする。そして、ロックレバー４２の手前側を押し下げて、ロックレバー４２とともにスイング部材５０を前方上向きにスイングさせて、スイング部材５０先端の爪部５０Ｆの中皿２２側の爪部３０との係合を外せば、ロック機構のロックが解除された状態となる。
【０００６】
そして、ベビースケールでは、使用することで汚れることが避けられないが、ロック機構のロックおよびロックの解除が簡単で、しかも上皿（測定皿）４０を測定部本体１０（の中皿２２）から簡単に取り外すことができ、取り外した上皿（測定皿）４０を丸洗い洗浄できる、という効果について記載されている。
【先行技術文献】
【特許文献】
【０００７】
【特許文献１】特開２００８−１５１５８７号（段落００３８〜００４２、図４、図７）
【発明の概要】
【発明が解決しようとする課題】
【０００８】
しかし、前記した従来技術（特許文献）では、第１に、取り外した上皿（測定皿）４０側にロック機構（スイング部材５０やロックレバー４２等）が設けられているため、上皿（測定皿）の重量がかさむ上に、ロック機構が複雑な構造で、上皿（測定皿）４０の丸洗い洗浄がしにくい。
【０００９】
第２に、ロック機構のロックとロック解除には、ロックレバー４２の手前側を持ち上げたり下げたりする操作と、ロックレバー４２を押し込んだり引き出したりする操作の２つの異なる操作を行わねばならず、それだけ操作性が悪い。
【００１０】
第３に、一旦取り外した上皿（測定皿）４０を再び測定部本体１０（の中皿２２）に位置決めして組み付ける作業が非常に面倒である。
【００１１】
即ち、一旦取り外した上皿（測定皿）４０を測定部本体１０（の中皿２２）に取り付けるには、図５に示すように、上皿（測定皿）４０底面側の位置決めブロック４４を中皿２２側のブロック２４に係合するように位置合わせ（位置決め）する作業が必要であるが、この位置合わせ部（ブロック４４，２４）が大きな上皿（測定皿）４０に隠れて作業者からは全く見えないため、上皿（測定皿）４０を測定部本体１０側の中皿２２に位置決めする作業が非常に面倒である。
【００１２】
本発明は、前記した従来技術の問題点に鑑みてなされたもので、その第１の目的は、ロック機構を測定部本体の中皿側に設けて、上皿側を軽量かつシンプルな構造にすることで、取り外した上皿の丸洗い洗浄が容易で、しかもロック機構のロックおよびロック解除操作も容易なベビースケールを提供することである。
【００１３】
また、その第２の目的は、一旦取り外した上皿を簡単かつ確実に中皿に取り付けることのできるベビースケールを提供することである。
【課題を解決するための手段】
【００１４】
前記第１の目的を達成するために、請求項１に係るベビースケールにおいては、測定部本体上面に設けた中皿に、寝台である上皿が解除可能なロック機構を介して装脱着可能に設けられたベビースケールにおいて、
前記上皿の下面には、左右方向所定距離離間させて一対のコ字型アームが突出形成するとともに、前記一対のアームから前後方向所定距離離間させて先端部が膨出する１本のロックピンを突出形成し、
一方、前記中皿の左右の側面には、前記コ字型アームがそれぞれ係合する一対の支軸部を略水平に突出形成し、
前記中皿の上面には、ロックピン係合用の第１の開口部を設けるとともに、
前記中皿上面の前記第１の開口部を含む領域には、ロックピン係合用の第２の開口部を設けた前後方向スライド可能なスライドプレートで構成するロック機構を設け、
前記ロックピン係合用の第２の開口部を、前記ロックピンの膨出先端部が係合可能な幅広開口部と前記ロックピンの基端部が係合可能な幅狭開口部とを前後方向に連成して構成し、
前記第２の開口部に前記ロックピンの基端部が係合する状態で、前記スライドプレートをスライドさせて前記ロックピンのロックまたはロック解除を行うように構成した。
【００１５】
（作用）上皿側のロックピンをロック（抜け止め保持）するロック機構（スライドプレート）が中皿側に設けられているので、上皿にロック機構を設けない分、上皿側はそれだけ軽量かつ簡潔な構造となる。このため、上皿を測定部本体（の中皿）から取り外して洗浄する際に、軽量かつ簡潔な構造の上皿を丸洗い洗浄し易い。
【００１６】
また、スライドプレートを進退動作させるだけで、スライドプレート（ロックピン係合用の第２の開口部）によるロックピンのロックとロック解除を行うことができる。
【００１７】
詳しくは、中皿側の第１の開口部とスライドプレートの第２の開口部（幅広開口部）とが上下に対応する位置において、上皿側のコ字型アームが中皿側の支軸部に係合して上皿が中皿に組み付けられて、上皿側のロックピンの膨出先端部がスライドプレートの第２の開口部（幅広開口部）を貫通してその下方の中皿側の第１の開口部に係合する形態（上皿側のロックピンの基端部がスライドプレートの第２の開口部（幅広開口部）に係合する形態）で、スライドプレートを押し込む（例えば、前方にスライドさせる）と、幅狭開口部がロックピンの基端部に係合し、幅狭開口部の周縁がロックピンの膨出先端部を抜け止め保持する（ロックピンがロック機構を構成するスライドプレートでロックされた）形態となる。即ち、上皿と中皿とがロック機構（スライドプレート）を介して取着（連結一体化）された形態となる。
【００１８】
一方、スライドプレートが押し込まれて、第２の開口部（幅狭開口部）がロックピンの基端部に係合（幅狭開口部の周縁がロックピンの膨出先端部を抜け止め保持）する、ロックピンがロック機構を構成するスライドプレートでロックされた形態から、スライドプレートを引き出す（例えば、後方にスライドさせる）と、幅狭開口部とロックピンの基端部との係合が外れるとともに、ロックピンの膨出先端部が係合している中皿側の第１の開口部とスライドプレートの第２の開口部（幅広開口部）が上下に対応する位置となって、ロックピンをロックピン係合用の第１の開口部から抜き出すことが可能な状態（ロックピンがロック機構を構成するスライドプレートでロックされた形態が解除された形態）となる。
【００１９】
そこで、上皿を取り付ける時とは逆方向に上皿を支軸部周りに回動すれば、ロックピンをロックピン係合用の開口部から抜き出すことができて、中皿から上皿を簡単に取り外すことができる。
【００２０】
前記第２の目的を達成するために、請求項２においては、請求項１に記載のベビースケールにおいて、前記上皿下面における前記一対の支軸部と前記ロックピン間の所定位置に前後方向位置決め用の下方突起を設け、
一方、前記中皿の上面には、前記スライドプレートの走行路を画成するケーシングを設けるとともに、該ケーシング上面の所定位置に前記上皿側の下方突起が係合する前後方向位置決め用の開口部を設けるように構成した。
【００２１】
（作用）測定部本体（の中皿）から一旦取り外した上皿を、再び測定部本体（の中皿）に取り付けるには、一対のアームを一対の支軸部に係合させてから、支軸部周りに上皿を回動すれば、ケーシングの前後方向位置決め用の開口部に上皿側の前後方向位置決め用の下方突起が係合して、上皿が中皿に対し確実に位置決めされる。
【００２２】
詳しくは、一対のアームが一対の支軸部に係合することで、上皿は中皿に対し左右方向に位置決めされ、さらに上皿側の下方突起がケーシングの前後方向位置決め用の開口部に係合することで、上皿は中皿に対し前後方向にも位置決めされる。
【００２３】
即ち、作業者は、上皿側のアームと中皿側の支軸部の係合を直接目で確認しながら、上皿を中皿に対し位置決めできる。
【００２４】
また、スライドプレートは、走行路を画成するケーシングの前後方向に延びる壁にガイドされて前後方向にスライド（走行）するので、スライドプレートを押し込む際には、スライドプレートの幅狭開口部がロックピンの基端部にスムーズに係合し、スライドプレートを引き出す際には、スライドプレートの幅狭開口部がロックピンの基端部からスムーズに逸脱する。
【００２５】
また、スライドプレートの走行路を覆うケーシングは、ゴミなどの予期せぬ異物の走行路への侵入を阻止する。
【００２６】
請求項３においては、請求項２に記載のベビースケールにおいて、前記中皿上面における前記前後方向位置決め用の開口部の真下には、ばね付勢されて突没動作可能な浮動フックを前記スライドプレート走行路上に突出した形態に設け、
前記スライドプレートには、前記浮動フックを上方に露呈させるフック露呈用開口部を設けるとともに、該フック露呈用開口部の近傍には、前記スライドプレートを引き出した位置から前進させる際に前記浮動フックに当接して該スライドプレートの前進を阻止する係止片を設け、
前記上皿を前記中皿に位置決めして組み付けた際に、前記浮動フックが前記上皿側の下方突起に上方から突き押しされて前記スライドプレート走行路の下方に没入した形態に保持されて、前記スライドプレートの係止片との当接が解除されるように構成した。
【００２７】
（作用）スライドプレートを引き出して、上皿を中皿から取り外した状態では、スライドプレート側の係止片がスライドプレート走行路上に突出する浮動フックに当接して、スライドプレートの前進が阻止されるので、スライドプレートのロックピン係合用の第２の開口部（幅広開口部）は、上皿側のロックピン係合用の第１の開口部に対応する位置に保持されて、上皿側のロックピンを上皿側のロックピン係合用の第１の開口部に確実に係合できる。
【００２８】
一方、上皿を中皿に対し位置決めして組み付ける（上皿側のコ字型アームを中皿側の支軸部に上方から係合させた状態で、上皿を支軸部周りに回動して、上皿側の下方突起をケーシングの位置決め用開口部に係合させる）と、上皿側のロックピンがスライドプレートのロックピン係合用の第１の開口部（幅広開口部）を貫通して、その下方の上皿側のロックピン係合用の第２の開口部に係合する。同時に、上皿側の下方突起は、ケーシング内のスライドプレートの浮動フック露呈用開口部から露呈している浮動フック（中皿のスライドプレート走行路上に突出している浮動フック）を上方から下方に突き押しして、スライドプレート走行路の下方に浮動フックを没入した形態に保持する。このため、スライドプレート側の係止片の浮動フックとの当接が解除されて、スライドプレートを前進させることができる。
【００２９】
即ち、スライドプレートを引き出して、上皿を中皿から取り外した状態では、上皿を再び中皿に組み付ける際に、上皿側のロックピンを、スライドプレートのロックピン係合用の第２の開口部を介して中皿側のロックピン係合用の第１の開口部に確実に係合させることができるとともに、上皿を中皿に対し位置決めして組み付けることで始めて、スライドプレートを押し込んで上皿側のロックピンをロックすることができる。
【００３０】
請求項４においては、請求項１〜３のいずれかに記載のベビースケールにおいて、前記スライドプレートには、前記中皿上面に突出形成されたボスと係合して、左右方向には位置決めされるが前後方向には該ボスに対し摺動可能な長孔を形成し、
前記ボスが前記長孔の前後端部にそれぞれ係合する位置と、前記スライドプレートを引き出して前記ロックピンのロックを解除する位置および前記スライドプレートを押し込んで前記ロックピンをロックする位置とが対応するように構成した。
【００３１】
即ち、中皿上面に突出形成されたボスと、スライドプレートに形成された長孔とは、スライドプレートの中皿に対する前後方向の進退量を設定する進退量設定手段を構成する。
【００３２】
（作用）スライドプレートを引き出してロックピンのロックを解除する位置では、ボスが長孔の一方の端部に当接して、スライドプレートをこれ以上引き出すことができず、スライドプレートの幅広開口部とロックピンの膨出先端部とが係合する形態となるので、ロックピンをロックピン係合用の第１の開口部（第２の開口部）に係合（挿入）したり、ロックピンをロックピン係合用の第１の開口部（第２の開口部）から抜き出す作業をスムーズに遂行できる。
【００３３】
一方、スライドプレートを押し込んでロックピンをロックする位置では、ボスが長孔の他方の端部に当接して、スライドプレートをこれ以上押し込むことができず、スライドプレートの幅狭開口部とロックピンの基端部とが確実に係合する形態となるので、ロックピンをロックした状態に保持できる。
【００３４】
請求項５においては、請求項４に記載のベビースケールにおいて、前記長孔の左右方向外側に該長孔と平行に延びる第２の長孔を形成して、前記長孔と第２の長孔間に帯状弾性領域を形成し、該帯状弾性領域における前記長孔の両端部寄りの内周に、前記ボスを長孔端部に保持する微小突起をそれぞれ設けて、前記スライドプレートが押し込まれた位置および引き出された位置にそれぞれ保持されるように構成した。
【００３５】
（作用）スライドプレートを引き出してロックピンのロックを解除する位置では、長孔に設けられている微小突起によって、ボスが長孔の一方の端部に当接した形態（スライドプレートの幅広開口部が中皿側の第１の開口部に対応する形態）に保持されて、ロックピン（の膨出先端部）を中皿側の第１の開口部に係合（挿入）する作業およびロックピンを第１の開口部から抜き出す作業をスムーズに遂行できる。
【００３６】
一方、スライドプレートを押し込んでロックピンをロックする位置では、長孔に設けられている微小突起によって、ボスが長孔の他方の端部に当接した形態（スライドプレートの幅狭開口部が中皿側の第１の開口部に対応した形態、即ち、幅狭開口部の周縁がロックピンの膨出先端部を抜け止め保持する形態）に保持されて、ロックピンのロックが勝手に外れることがない。
【００３７】
なお、スライドプレートをスライドさせると、長孔内側に突出する微小突起は、ボスが長孔に沿って沿って相対摺動する際の障害となるが、スライドプレートを強く押したり引いたりすれば、微小突起を含む帯状弾性領域がボスに押されて左右方向外側に弾性変形して、ボスの微小突起を乗り越えた滑動が許容されるので、スライドプレートをスライドさせてロックピンのロックとロックの解除を行う際の実質的な障害とはならない。
【発明の効果】
【００３８】
以上の説明から明らかなように、請求項１に係るベビースケールによれば、上皿にロック機構を設けない分、上皿はそれだけ軽量かつ簡潔な構造となって、測定部本体（の中皿）から上皿を取り外して丸洗い洗浄する作業が容易となる。
【００３９】
また、スライドプレートの前後方向へのスライド操作だけで、上皿と中皿間に介装されているロック機構のロックとロック解除とを簡単に行うことができるので、ロック機構の操作性に優れている。
【００４０】
請求項２によれば、作業者は、上皿側と中皿側の位置合わせ部を直接目で確認しながら、上皿を中皿に対し位置決めできるので、一旦取り外した上皿を簡単かつ確実に中皿に組み付けることができる。
【００４１】
また、スライドプレートは、ケーシングの前後方向に延びる壁にガイドされて走行でき、しかもスライドプレート走行路に異物が侵入することがないので、スライドプレートのスムーズな進退動作が確保されて、ロック機構のスムーズなロックおよびロック解除が長期にわたり保証される。
【００４２】
請求項３によれば、中皿から一旦取り外した上皿を再び中皿に取り付ける際に、スライドプレート側の第２の開口部（幅広開口部）が中皿側の第１の開口部に対応する前後方向所定位置にあるので、上皿側のロックピンをスライドプレートの第２の開口部を介して中皿側の第１の開口部に簡単かつ確実に係合させることができる。
【００４３】
また、上皿を中皿に対し位置決めして組み付けると同時に、スライドプレートの前進が可能となるので、直ちにスライドプレートを押し込んでロックピンをロックすることができる。
【００４４】
請求項４によれば、スライドプレートを引き出して（ロック機構のロックを解除して）、上皿を中皿に対し着脱できる位置、およびスライドプレートを押し込んで（ロック機構をロックして）、ロックピンをロックする位置が設定されているので、上皿を中皿に位置決めして組み付けたり、上皿を中皿から取り外す作業、さらにはロック機構により上皿を中皿にロックしたりロックを解除したりする作業をそれぞれスムーズに遂行できる。
【００４５】
請求項５によれば、スライドプレートは、ロックピンをロックする位置およびロックを解除する位置にそれぞれ保持されるので、ベビースケールの使用中にロックピンのロックが勝手に外れるとか、上皿を中皿に装脱着する際にロックピンが勝手にロックされるといった不具合がなく、ベビースケール使用時の安全性および上皿装脱着時の利便性が確保されている。
【図面の簡単な説明】
【００４６】
【図１】本発明の第１の実施例であるベビースケールの分解斜視図である。
【図２】同ベビースケールの要部である測定部本体の中皿から上皿を分離して示す斜視図である。
【図３】中皿の上面に設けられた浮動フック周辺とスライドプレートを分離して示す斜視図である。
【図４】ロック機構を構成するスライドプレートの作用を示す図で、（ａ）はスライドプレートの開口部によるロックピンのロックが解除された状態（スライドプレートを引き出してスライドプレート側の幅広開口部と中皿側の第１の開口部とが対応した状態）を示す斜視図、（ｂ）はロックピンがスライドプレートの開口部でロックされた状態（スライドプレートを押し込んでスライドプレートの幅狭開口部がロックピンの小径基端部に係合した状態）を示す斜視図である。
【図５】浮動フックの拡大側面図で、（ａ）は浮動フック先端部がスライドプレート走行路上に突出している状態の拡大側面図、（ｂ）は浮動フック先端部がスライドプレート走行路下方に没入している状態の拡大側面図である。
【図６】浮動フックの拡大縦断面図で、（ａ）は浮動フック先端部がスライドプレート走行路上に突出している状態の拡大縦断面図、（ｂ）は浮動フック先端部がスライドプレート走行路下方に没入している状態の拡大縦断面図である。
【図７】上皿側のコ字型アームを測定部本体側の支軸部に係合させた状態を示す（中皿を断面で示す）ベビースケールの側面図である。
【図８】上皿を測定部本体の中皿に位置決めして組み付けた状態を示す（中皿を断面で示す）ベビースケールの側面図である。
【図９】スライドプレートを押し込んでロックピンをロックした状態を示す（中皿を断面で示す）ベビースケールの側面図である。
【図１０】スライドプレートを押し込んでロックピンをロックした状態を示す中皿の平面図である。
【発明を実施するための形態】
【００４７】
次に、本発明の実施の形態を実施例に基づいて説明する。
【００４８】
図１，２において、本発明の実施例であるベビースケール１００は、主として、軽量センサ（ロードセル）を収容した測定部本体１１０と、測定部本体１１０を下方から支持するベース１２０と、測定部本体１１０上面に固着された中皿１３０と、中皿１３０に取り外し可能に取着された寝台である上皿１６０とを備え、中皿１３０には、上皿１５０側のロックピン１６６のロックおよびロックを解除を行うロック機構を構成するスライドプレート１５０が前後方向（図１，２のＸ方向）スライド可能に設けられている。
【００４９】
測定部本体１１０は、二つの軽量センサ（ロードセル）１１３，１１３を固定した樹脂製の下ケース１１２に、操作キー１１５や表示部１１６等が設けられた樹脂製の上ケース１１４が組み付け一体化されている。なお、測定部本体１１０の構成は、特開２００８−１１６２２４等において詳しく開示されている公知技術であり、その具体的な説明は省略する。
【００５０】
測定部本体１１０の底面に固定一体化されているベース１２０は、樹脂の一体成形品で構成され、前後方向（図１，２のＸ方向）には測定部本体１１０とほぼ同じ大きさであるが、左右方向（図１，２のＹ方向）には測定部本体１１０よりも大きく形成されるとともに、ベース１２０底面のほぼ四隅には、高さ調節可能な脚１２２が設けられて、使用時のベビースケール１００が安定するように構成されている。また、ベース１２０の左右方向両端には取手１２４が設けられて、ベビースケール１００全体を持ち運びできる。
【００５１】
中皿１３０は、平面視矩形枠状の樹脂の一体成形品で構成され、その四隅に設けられた円形下方膨出部１３２が、測定部本体１１０の上ケース１１４に設けられた円形開口部１１７（図１参照）を貫通して計量センサ１１３に連結されて、中皿１３０に作用する荷重を測定部本体１１０の二つの計量センサ１１３，１１３で受け止めるようになっている。図１，２に示す符号１３３は、中皿１３０の下方膨出部１３２を計量センサ１１３に取着するねじである。
【００５２】
上皿１６０は、乳児を横にして載置できる十分な大きさの樹脂の一体成形品で構成され、その下面奥側には、図１，２，７に示すように、左右方向所定距離離間させて、左右方向および前後方向位置決め用の一対のコ字型アーム１６２，１６２が突出形成されるとともに、一対のアーム１６２，１６２から上皿１６０の下面手前側にそれぞれ所定距離離間させて、前後方向位置決め用の下方突起１６４と先端部が膨出するロックピン１６６とが突出形成されている。
【００５３】
一方、中皿１３０の周縁部には、図２に拡大して示すように、矩形状周縁枠を構成する前後に延びる左右一対の立壁１３１，１３１が上皿１６０下面に当接するように形成されるとともに、中皿１３０の左右の側面には、上皿１６０側のコ字型アーム１６２，１６２がそれぞれ係合する、左右方向および前後方向位置決め用の一対の支軸部１３４，１３４が略水平に突出形成されている。
【００５４】
また、中皿１３０の上面中央部には、後述するスライドプレート１４０の外形に整合する平面視コ字型に延びる立壁１３６（図３，４，１０参照）が形成され、この立壁１３６を覆うようにカバー１３７が取着されて、スライドプレート１４０の走行路１３８を画成するケーシング１３９が設けられている。該ケーシング１３９の上面（カバー１３７の上面）中央部には、上皿１６０側の下方突起１６４が係合する前後方向位置決め用の開口部１３７ａが設けられ、中皿１３０の上面中央部手前側には、図３に示すように、ロックピン係合用の第１の矩形状開口部１３０ａが形成されている。
【００５５】
そして、上皿１６０を測定部本体１１０（の中皿１３０）に取り付けるには、上皿１６０側の一対のアーム１６２，１６２を中皿１３０側の一対の支軸部１３４，１３４に係合させて、支軸部１３４，１３４周りに上皿１６０を回動すれば、上皿１６０の下面が中皿１３０の立壁１３１，１３１で担持されるとともに、中皿１３０上面のロックピン係合用の矩形状開口部１３０ａ，ケーシング１３９（カバー１３７）上面の前後方向位置決め用の開口部１３７ａに上皿１６０側のロックピン１６６，前後方向位置決め用の下方突起１６４がそれぞれ係合して、上皿１６０が中皿１３０に対し確実に位置決めされる。
【００５６】
詳しくは、一対のアーム１６２，１６２が一対の支軸部１３４，１３４に係合することで、上皿１６０は中皿１３０に対し左右方向（Ｙ方向）に位置決めされ、さらに上皿１６０側の下方突起１６４がケーシング１３９（カバー１３７）の開口部１３７ａに係合することで、上皿１６０は中皿１３０に対し前後方向（Ｘ方向）にも位置決めされる。
【００５７】
このように、本実施例では、作業者が上皿１６０側のアーム１６２と中皿１３０側の支軸部１３４の係合を直接目で確認しながら、上皿１６０を中皿１３０に対し位置決めできるので、一旦取り外した上皿１６０を簡単かつ確実にしかも短時間で中皿１３０に組み付けることができる。
【００５８】
また、図４，７に示すように、上皿１６０側のロックピン１６６は、中皿１３０側の矩形状開口部１３０ａに係合可能な幅広矩形ブロック状の膨出先端部１６６ａと、横断面円形の小径基端部１６６ｂで構成され、一方、図３に示すように、スライドプレート走行路１３８をスライドできるスライドプレート１４０の手前側領域１４０Ａの中央部には、ロックピン１６６の膨出先端部１６６ａが係合可能な矩形状の幅広開口部（中皿１３０側の矩形状開口部１３０ａに整合する開口部）１４２ａと、ロックピン１６６の小径基端部１６６ｂが係合可能な略矩形状の幅狭開口部１４２ｂとが前後方向に連成されたロックピン係合用の第２の開口部１４２が設けられている。
【００５９】
スライドプレート１４０を前後方向所定の長さだけ進退動作させる構造については、後に詳しく説明するが、スライドプレート１４０は、スライドプレート１４０側の幅広開口部１４２ａが中皿１３０側の開口部１３０ａに対応する位置（図４（ａ）参照）から、スライドプレート１４０側の幅狭開口部１４２ｂが中皿１３０側の開口部１３０ａに対応する位置（図４（ｂ）参照）までの所定長さ（幅広開口部１４２ａの前後長さに相当する長さ）だけ前後方向にスライドできるように構成されている。
【００６０】
そして、スライドプレート１４０は、図４に示すように、ロックピン１６６（の膨出先端部１６６ａ）がスライドプレート１４０の開口部１４２を貫通して下方の上皿１６０側の第１の開口部１３０ａに係合させた状態で、スライドプレート１４０を前後に進退動作させるだけで、スライドプレート１４０（ロックピン係合用の第２の開口部１４２）によるロックピン１６６のロックとロック解除とを行うことができる。
【００６１】
図４および図８，９を参照して、ロックピン１６６をロックしたりロック解除を行うロック機構であるスライドプレート１４０の作用について説明する。
【００６２】
図４（ａ），図８に示すように、上皿１６６を中皿１３０に位置決めして組み付けた状態では、スライドプレート１４０は、中皿１３０から引き出されて、スライドプレート１４０側の幅広開口部１４２ａが中皿１３０側の開口部１３０ａに対応する位置となっている。そして、上皿１６６側のコ字型アーム１６２が中皿１３０側の支軸部１３２に係合するとともに、上皿１６０側の下方突起１６４がケーシング１３７の開口部１３７ａに係合し、かつ上皿１６０側のロックピン１６６（膨出先端部１６６ａ）がスライドプレート１４０の開口部１４４（幅広開口部１４４ａ）を貫通して中皿１３０の開口部１３０ａが係合する形態）となっている。図４（ａ）において、仮想線で示すロックピン１６６は、中皿１３０の開口部１３０ａに係合している状態を示す。
【００６３】
この状態で、スライドプレート１４０を前方に所定長さだけ押し込む（スライドプレート１４０側の幅狭開口部１４２ｂが中皿１３０側の開口部１３０ａに対応する位置までスライドさせる）と、図４（ｂ），図９に示すように、スライドプレート１４０側の幅狭開口部１４２ｂにロックピン１６６の小径基端部１６６ｂが係合し、幅狭開口部１４４ｂの周縁がロックピン１６６の膨出先端部１６６ａを抜け止め保持する（ロックピン１６６がロック機構を構成するスライドプレート１４０でロックされた形態となる）。即ち、上皿１６６と中皿１３０とがロック機構（スライドプレート１４０）を介して連結一体化（取着）された形態となる。
【００６４】
一方、図４（ｂ），図９に示すように、スライドプレート１４０が押し込まれて、幅狭開口部１４２ｂがロックピン１６６の小径基端部１６６ｂに係合（幅狭開口部１４２ｂの周縁がロックピン１６６の膨出先端部１６６ａを抜け止め保持）する、ロックピン１６６がロック機構を構成するスライドプレート１４０でロックされた形態から、スライドプレート１４０を所定の長さだけ引き出す（後方にスライドさせる）と、図４（ａ），図８に示すように、スライドプレート１４０の幅広開口部１４２ａが中皿１３０側の開口部１３０ａに対応する位置となって、ロックピン１６６（の膨出先端部１６６ａ）をスライドプレート１４０の幅広開口部１４２ａを介してロックピン係合用の第１の開口部１３０ａから抜き出すことが可能な状態（ロックピン１６６がロック機構を構成するスライドプレート１４０でロックされた形態が解除された状態）となる。
【００６５】
そこで、上皿１６０を取り付ける場合（図７参照）とは逆方向に支軸部１３２周りに回動すれば、ロックピン１６６を中皿１３０のロックピン係合用の第１の開口部１３０ａ（スライドプレート１４０の幅広開口部１４２ａ）から抜き出すことができて、中皿１３０から上皿１６０を簡単に取り外すことができる。
このように、本実施例では、上皿１６０側のロックピン１６６をロック（抜け止め保持）するロック機構（スライドプレート１４０）が中皿１３０側に設けられているので、上皿１６０にロック機構を設けない分、上皿１６０側はそれだけ軽量かつ簡潔な構造となる。
【００６６】
このため、上皿１６０を測定部本体１１０（の中皿１３０）から取り外して洗浄する際に、軽量かつ簡潔な構造の上皿１６０を丸洗い洗浄し易い。
【００６７】
また、本実施例では、スライドプレート１４０の前後方向へのスライド操作だけで、上皿１６０と中皿１３０間に介装されているロック機構のロックとロック解除とを簡単に行うことができるので、ロック機構の操作性が非常に優れている。
【００６８】
特に、本実施例では、スライドプレート１４０は、走行路１３８を画成するケーシング１３９（左右の立壁１３４）にガイドされて前後方向にスライド（走行）するので、スライドプレート１４０を押し込む際には、スライドプレート１４０の幅狭開口部１４２ｂがロックピン１６６の小径基端部１６６ｂにスムーズに係合し、スライドプレート１４０を引き出す際には、スライドプレート１４０の幅狭開口部１４２ｂをロックピン１６６の小径基端部１６６ｂからスムーズに逸脱させることができる。
【００６９】
また、スライドプレート走行路１３８を覆うケーシング１３９には、ゴミなどの予期せぬ異物のスライドプレート走行路１３８への侵入を阻止するという機能もある。
【００７０】
また、図３に示すように、スライドプレート１４０の奥側領域１４０Ｂには、巾方向中央の上面側凸部領域１４０ａの左右両側に上面側凹部領域１４０ｂ，１４０ｂが連成された構造で、上面側凸部領域１４０ａの略中央部には、矩形状に前後に延びる浮動フック露呈用開口部１４４が形成され、左右一対の上面側凹部領域１４０ｂには、中皿１３０上面に突出形成された前後一対のボス１３６ａ，１３６ａとそれぞれ係合して、左右方向には位置決めされるが前後方向には該ボス１３６ａ，１３６ａに対し相対摺動可能な長孔１４５，１４５が形成されている。
【００７１】
そして、ボス１３６ａ，１３６ａが長孔１４５，１４５の前後端部１４５ａ，１４５ａ；１４５ｂ，１４５ｂにそれぞれ係合する位置と、ライドプレート１４０を引き出してロックピン１６６のロックを解除する位置（図４（ａ）に示すように、スライドプレート１４０側の幅広開口部１４２ａが中皿１３０側の開口部１３０ａに対応する位置）およびスライドプレート１３０を押し込んでロックピン１６６をロックする位置（図４（ｂ）に示すように、スライドプレート１４０側の幅狭開口部１４２ｂが中皿１３０側の開口部１３０ａに対応する位置）とが対応するように設定されている。
【００７２】
また、長孔１４５のスライドプレート巾方向外側には、該長孔１４５と平行に延びる第２の長孔１４７が形成されて、長孔１４５と第２の長孔１４７との間に帯状弾性領域１４６が形成されている。さらに、該帯状弾性領域１４６における長孔の両端部１４５ａ，１４５ｂ寄りの内周には、ボス１３６ａを長孔端部１４５ａ，１４５ｂに抜け止め保持する微小突起１４８，１４８がそれぞれ設けられて、スライドプレート１４０は、押し込まれた位置または引き出された位置にそれぞれ保持されるようになっている。
【００７３】
このため、スライドプレート１４０を引き出してロックピン１６６のロックを解除する形態（図４（ａ）参照）では、ボス１３６ａが長孔端部１４５ａに当接して、スライドプレート１４０をこれ以上引き出すことができず、しかも長孔端部１４５ａ近傍に設けられている微小突起１４８によって、ボス１３６ａが長孔端部１４５ａに当接した形態に保持されて、即ち、スライドプレート１４０の幅広開口部１４２ａが中皿１６０側の開口部１３０ａおよびロックピン１６６の膨出先端部１６６ａと上下方向に対応する位置に保持されて、ロックピン１６６を開口部１３０ａ（幅広開口部１４２ａ）に係合（挿入）する作業およびロックピン１６６を開口部１３０ａ（幅広開口部１４２ａ）から抜き出す作業をスムーズに遂行できる。
【００７４】
一方、スライドプレート１４０を押し込んでロックピン１６６をロックする形態では、ボス１３６ａが長孔端部１４５ｂに当接して、スライドプレート１４０をこれ以上押し込むことができず、しかも長孔端部１４５ｂ近傍に設けられている微小突起１４８によって、ボス１３６ａが長孔端部１４５ｂに当接した形態に保持されて、即ち、スライドプレート１４０の幅狭開口部１４２ｂとロックピン１６６の基端部１６６ｂとが係合する形態に保持されて、スライドプレート１４０によるロックピン１６６のロックが勝手に外れることがない。
【００７５】
このように、中皿１６０側のボス１３６ａとスライドプレート１４０に形成された長孔１４５とは、スライドプレート１４０の中皿１６０に対する前後方向の進退量を設定する進退量設定手段を構成するとともに、長孔端部１４５ａ，１４５ｂ近傍に設けられた微小突起１４８は、ロック機構であるスライドプレート１４０を引き出した位置（ロックピン１６６のロックを解除した位置）またはロック機構であるスライドプレート１４０を押し込んだ位置（ロックピン１６６をロックした位置）に保持する保持手段を構成している。
【００７６】
なお、長孔１４５内側に突出する微小突起１４８は、スライドプレート１４０をスライドさせる際（ボス１３６ａが長孔１４５に沿って相対摺動する際）の障害となるが、スライドプレート１４０を強く押したり引いたりすれば、微小突起１４８を含む帯状弾性領域１４６がボス１３６ａの外形に倣うように第２の長孔１４７側に弾性変形して、ボス１３６ａの微小突起１４８を乗り越える滑動を許容するので、スライドプレート１４０をスライドさせてロックピン１６６のロックとロックの解除を行う際の実質的な障害とはならない。
【００７７】
特に、長孔端部１４５ａ，１４５ｂは、スリット１４５ｃを介して開口部１４５ｄ，１４５ｅまで延びるとともに、第２の長孔１４７，１４７も開口部１４５ｄ，１４５ｅに対応する位置まで延びている。このため、帯状弾性領域１４６，１４６は、長孔端部１４５ａ，１４５ｂを越えて前後に延在し、帯状弾性領域１４６，１４６の可撓性がそれだけ高められて、ボス１３６ａの微小突起１４８を乗り越える滑動（スライドプレート１４０のスライド）がそれだけスムーズとなっている。
【００７８】
また、スライドプレート走行路１３８を構成する中皿１３０の上面における、ケーシング１３９（カバー１３７）の開口部１３７ａの真下には、図３、５，６に示すように、ばね付勢されて突没動作可能な浮動フック１５０がスライドプレート走行路１３８上に突出した形態に設けられている。
【００７９】
このスライドプレート走行路１３８上に突出する浮動フック１５０は、スライドプレート１４０の前進を規制して、スライドプレート１４０側のロックピン係合用の第２の開口部１４２（１４２ａ）を中皿１３０側の第１の開口部１３０ａに対応する所定位置（幅広開口部１４２ａを上皿１６０側のロックピン１６６に対応する所定位置）に保持するためのものである。
【００８０】
詳しくは、図３，５，６に示すように、中皿１３０の上面（スライドプレート走行路１３８の下面）には、上方（スライドプレート走行路１３８）に向けて開口する凹部１３３が形成されている。そして、該凹部１３３内には、浮動フック１５０がその基端部側凸条支点１５１周りに揺動可能に組み付けられるとともに、凹部１３３底面と浮動フック１５０下面間に介装された圧縮コイルばね１５２と、中皿１３０の上面に突出形成されたＬ字型のストッパ１５４とによって、浮動フック１５０の先端側（図３，４の左側）がスライドプレート走行路１３８に対し突没動作できるように構成されている。
【００８１】
また、浮動フック１５０の先端側には、ストッパ１５４に係合する凹部１５０ａが形成されるとともに、凹部１５０ａの両側には、後述するスライドプレート１４０側の一対の係止片１４３，１４３と前後方向に当接する一対の縦リブ１５０ｂ，１５０ｂが形成されている。また、浮動フック１５０上面における一対の縦リブ１５０ｂ，１５０ｂの後方には、浮動フック１５０が上皿１６０側の下方突起１６４に突き押しされて沈み込んだときに、一対の係止片１４３，１４３がそれぞれ干渉せずに通過（前進）できる、前後に水平に延びる平滑な一対の段差部１５０ｃ，１５０ｃが形成されている。即ち、一対の段差部１５０ｃ，１５０ｃは、下方突起１６４に突き押しされて浮動フック１５０が開口部１３２内に沈み込んだときに、一対の係止片１４３，１４３の滑動を許容する軌道を構成している。なお、図５，６における符号１３３ａは、ストッパ１５４のアンダーカット部となる領域を成形するための分割金型配設用の開口部であって、開口部１３３ａは、スライドプレート走行路１３８および凹部１３３における水抜き穴としても機能する。
【００８２】
一方、スライドプレート１４０には、浮動フック１５０を上方に露呈させるフック露呈用開口部１４４が設けられ、該フック露呈用開口部１４４の前後に延びる側縁部下面には、スライドプレート１４０を引き出した位置において、浮動フック１５０の揺動先端部（一対の縦リブ１５０ｂ，１５０ｂ）に当接する一対の係止片１４３，１４３が突出形成されている。
このため、図５（ａ），図７に示すように、スライドプレート１４０を引き出して、上皿１６０を中皿１３０に組み付けていない状態（下方突起１６４が開口部１４４に係合していない状態）では、スライドプレート１４０を押し込もうとしても、スライドプレート１４０側の係止片１４３，１４３が浮動フック１５０（の揺動先端部１５０ｂ）に当接して、スライドプレート１４０を前進させることができない。
【００８３】
一方、図５（ｂ），図６（ｂ），図８に示すように、ケーシング１３９上面（カバー１３７上面）の開口部１３７ａに上皿１６０側の下方突起１６４が係合すると、該下方突起１６４は、開口部１３７ａ真下に位置するスライドプレート１４０の開口部１４４を介して浮動フック１５０を下方に突き押しするように構成されている。
【００８４】
このため、上皿１６０を中皿１３０に位置決めして組み付けると、図５（ｂ），図６（ｂ），図８に示すように、浮動フック１５０の先端側は、上皿１６０側の下方突起１６２に上方から突き押しされてスライドプレート走行路１３８の下方に没入した形態に保持されて、スライドプレート１４０の浮動フック１５０による規制が解除されるとともに、浮動フック１５０側の段差部１５０ｃ，１５０ｃがスライドプレート１４０側の係止片１４３より低い位置に水平に延在する形態となって、スライドプレート１４０を前進させることができる。
【００８５】
次に、浮動フック１５０の作用について、詳しく説明する。
【００８６】
スライドプレート１４０を引き出して、上皿１６０を中皿１３０から取り外した状態では、スライドプレート１４０の長孔１４５内側に形成されている微小突起１４８によって、スライドプレート１４０の長孔端部１４５ａに中皿１３０側のボス１３６ａが係合した形態に抜け止め保持されるとともに、スライドプレート１４０側の係止片１４３がスライドプレート走行路１３８上に突出する浮動フック１５０の揺動先端部（縦リブ１５０ａ）に当接し、スライドプレート１４０は、前進も後退もできない形態に保持される。
【００８７】
このため、スライドプレート１４０のロックピン係合用の第２の開口部１４２（１４２ａ）が中皿１３０側のロックピン係合用の第１の開口部１３０ａと対応する位置となって、上皿１６０側のロックピン１６６（の先端側膨出部１６６ａ）を確実にロックピン係合用の第１の開口部１３０ａ係合させることができる。
【００８８】
一方、上皿１６０を中皿１３０に対し位置決めして組み付ける（上皿１６０側のコ字型アーム１６２を中皿１３０側の支軸部１３４に上方から係合させた状態で、上皿１６０を支軸部１３４周りに回動して、上皿１６０側の下方突起１６４をケーシング１３８の位置決め用開口部１３７ａに係合させる）と、上皿１６０側のロックピン１６６がスライドプレート１４０のロックピン係合用の第２の開口部１４４（幅広開口部１４４ａ）を貫通して、下方の中皿１３０側のロックピン係合用の第１の開口部１３０ａに係合する。同時に、上皿１６０側の下方突起１６４は、ケーシング１３８の位置決め用開口部１３７ａ下方のスライドプレート１４０の浮動フック露呈用開口部１４４から露呈している浮動フック（中皿１３０のスライドプレート走行路１３８上に突出している浮動フック）１５０を上方から下方に突き押しして、浮動フック１５０の揺動先端側がスライドプレート走行路１３８の下方に没入した形態に保持される。
【００８９】
このため、スライドプレート１４０側の係止片１４３，１４３と浮動フック１５０の先端リブ１５０ｂ，１５０ｂとの当接が解除されて、係止片１４３，１４３を浮動フック１５０上面の段差部１５０ｃ，１５０ｃに沿って滑動できる形態となるので、スライドプレート１４０を浮動フック１５０と干渉させることなく、前進させることができる。
【００９０】
このように、本実施例では、スライドプレート１４０を引き出して、上皿１６０を中皿１３０から取り外した状態では、スライドプレート１４０は、その長孔端部１４５ａがボス１３６ａに当接して後方への移動が規制されるとともに、スライドプレート１４０側の係止片１４３がスライドプレート走行路１３８上に突出する浮動フック１５０前端部に当接して前方への移動も規制されて、スライドプレート１４０のロックピン係合用の第２の開口部１４２（幅広開口部１４２ａ）は、中皿１３０側の第１の開口部１３０ａに対応する、上皿１６０側のロックピン１６６を係合させることのできる所定位置に常に保持されることになって、再び、上皿１６０を中皿１３０に対し位置決めする際には、ロックピン１６６を簡単かつスムーズに中皿１３０側の開口部１３０ａに係合させることができる。
【００９１】
さらに、上皿１６０を中皿１３０に位置決めして組み付けると同時に、スライドプレート１４０の浮動片１５０による規制が解除されるので、上皿１６０を中皿１３０に組み付ける作業に続けて、スライドプレート１４０を押し込んで上皿１６０側のロックピン１６６をスムーズにロックする作業を行うことができる。
【００９２】
なお、前記した実施例では、測定部本体１１０（中皿１３０）および上皿１６０の奥側に支軸部１３２，１３２およびコ字型アーム１６２，１６２を設けて、測定部本体１１０（中皿１３０）に対し上皿１６０の手前側が開閉するように構成されているが、測定部本体１１０（中皿１３０）および上皿１６０の手前側に支軸部１３２，１３２およびコ字型アーム１３２，１３２を設けて、測定部本体１１０（中皿１３０）に対し上皿１６０の奥側が開閉するように構成してもよい。
【００９３】
また、前記した実施例では、ベース１２０が測定部本体１１０の下ケース１１と別体に構成されているが、ベース１２０と下ケース１１を一体的に構成（樹脂の一体成形品で構成）してもよい。
【符号の説明】
【００９４】
１００  ベビースケール
１１０  測定部本体
１１３  計量センサ
１２０  ベース
１３０  中皿
１３０ａ  ロックピン係合用の第１の開口部
１３１  立壁
１３２  支軸部
１３３  浮動フック収納用の凹部
１３６  立壁
１３６ａ  スライドプレートの進退量設定用のボス
１３７  カバー
１３７ａ  前後方向位置決め用の開口部
１３８  スライドプレート走行路
１３９  スライドプレート走行路を画成するケーシング
１４０  ロック機構を構成するスライドプレート
１４２  ロックピン係合用の第２の開口部
１４２ａ  幅広開口部
１４２ｂ  幅狭開口部
１４３  係止片
１４４  フック露呈用開口部
１４５  スライドプレートの進退量設定用の長孔
１４５ａ，１４５ｂ  長孔端部
１４６  帯状弾性領域
１４７  第２の長孔
１４８  微小突起
１５０  浮動フック
１５０ａ  浮動フックの揺動先端部（リブ）
１５２  圧縮コイルばね
１５４  ストッパ
１６０  寝台である上皿
１６２  コ字型アーム
１６４  下方突起
１６６  ロックピン
１６６ａ  ロックピンの膨出先端部
１６６ｂ  ロックピンの小径基端部
【図１】
2011099783.tif 000003
【図２】
2011099783.tif 000004
【図３】
2011099783.tif 000005
【図４】
2011099783.tif 000006
【図５】
2011099783.tif 000007
【図６】
2011099783.tif 000008
【図７】
2011099783.tif 000009
【図８】
2011099783.tif 000010
【図９】
2011099783.tif 000011
【図１０】
2011099783.tif 000012